(57)【要約】      （修正有）【課題】メダル収容トレー自身をライトアップすることによって、遊技者各自の興趣を盛り上げると共に、来客上の訴求効果も得られるようにするスロットマシン設置島の発光装置を提供する。【解決手段】並列状態にあるスロットマシンの上段位置をメダル収容トレー１１を載置できる棚空間Ｓとし、各々開口形成されたスロットマシン設置島を形成する。また、上記メダル収容トレー１１を蛍光顔料などの蛍光体が含有された透明又は半透明の熱可塑性樹脂から成形すると共に、そのメダル収容トレー１１に向かって紫外線を照射する励起光源１６を、上記棚空間Ｓの開口縁部又は内部に設置して、上記メダル収容トレー１１を発光させるように定めた。【選択図】図７
0003180200.tif 000002
【実用新案登録請求の範囲】
【請求項１】
並列状態にあるスロットマシンの上段位置がメダル収容トレーを載置できる棚空間として、各々開口形成されたスロットマシン設置島において、
上記メダル収容トレーを蛍光顔料などの蛍光体が含有された透明又は半透明の熱可塑性樹脂から成形すると共に、
そのメダル収容トレーに向かって紫外線を照射する励起光源を、上記棚空間の開口縁部又は内部に設置して、上記メダル収容トレーを発光させるように定めたことを特徴とするスロットマシン設置島の発光演出装置。
【請求項２】
励起光源を紫外線発光ダイオードとして、その１個又は複数個が予じめ植え付けられたＬＥＤ配線基板を、一定長さの支持フレームに取り付けると共に、
上記支持フレームを棚空間の開口上縁部に沿って、その発光ダイオードが斜め内向く状態に取り付け固定したことを特徴とする請求項１記載のスロットマシン設置島の発光演出装置。
【請求項３】
支持フレームをアルミ押出材として、その一定長さだけ列設したＬＥＤ配線基板受け入れ用溝レールの内部へ、紫外線発光ダイオードが予じめ植え付けられたＬＥＤ配線基板を、その切り離し一端部からの抜き差し自在に差し込むと共に、
上記支持フレームの溝レールから背後方向へ連続一体に張り出す取付ステーの中途部を、約４５度の一定角度だけ折り曲げて、その取付ステーの折り曲げ先端部を棚空間の開口上縁部に沿って取り付け固定することにより、
上記紫外線発光ダイオードが棚空間への上記一定角度だけ斜め内向く状態となるように設定したことを特徴とする請求項２記載のスロットマシン設置島の発光演出装置。
【請求項４】
ＬＥＤ配線基板上の紫外線発光ダイオードと対応位置する光透過孔が開口形成された一定長さの遮光カバーを、支持フレームへ前方からの被覆状態に取り付け一体化したことを特徴とする請求項２記載のスロットマシン設置島の発光演出装置。
【請求項５】
支持フレームをアルミ押出材として、その一定長さだけ列設したＬＥＤ配線基板受け入れ用溝レールの内部へ、紫外線発光ダイオードが予じめ植え付けられたＬＥＤ配線基板を、その切り離し一端部からの抜き差し自在に差し込む一方、
棚空間の開口上縁部に対する支持フレームの取付ステーを、その支持フレームの上記ＬＥＤ配線基板受け入れ用溝レールから背後方向へ連続一体に張り出すと共に、
一定長さの合成樹脂製遮光カバーを上記支持フレームの切り離し一端部から、そのＬＥＤ配線基板受け入れ用溝レールと取付ステーを包囲する状態に差し込み套嵌したことを特徴とする請求項４記載のスロットマシン設置島の発光演出装置。
【考案の詳細な説明】
【技術分野】
【０００１】
本考案は遊技ホールにおけるスロットマシン設置島の発光演出装置に係り、殊更その遊技媒体であるメダルの収容トレー自身をライトアップすることによって、遊技者各自の興趣を盛り上げるだけでなく、遊技ホールにとっても来客上の訴求効果を得られるように工夫したものである。
【背景技術】
【０００２】
遊技媒体であるパチンコ玉やメダルの収納箱を発光させる演出システムが、特許文献１に開示されている。この公知発明では、遊技媒体収納箱（１）から光が発するようになっている点と、その収納箱（１）が遊技島の天板（６）上に載置され、遠くからでも全体的によく見えるようになっている点で、本考案に最も近似すると考えられる。
【先行技術文献】
【特許文献】
【０００３】
【特許文献１】特許第４４４５７８６号公報
【考案の概要】
【考案が解決しようとする課題】
【０００４】
ところが、上記公知発明の構成では遊技媒体収納箱（１）の発光手段（２）になるＬＥＤ（２１）と照明用光ファイバー（２２）を、その収納箱（１）の鍔部（１１）へ埋設する必要があるほか、起電力発生手段（３）になる円板状の鉄心（３２）とこれに巻き付けられた２次コイル（３３）を、同じく収納箱（１）の底板（１４）から突設する必要もあり、非常に複雑・特殊化しているため、この種多量に使う遊技媒体収納箱（１）としての量産効果を発揮させることができない。
【０００５】
又、遊技島の天板（６）上へ載置使用するに当っても、その遊技媒体収納箱（１）の脚部（１５）を天板（６）の溝（６１）へ嵌入させて、磁界発生手段（７）との作用的に発生する電磁誘導起電力により、ＬＥＤ（２１）を点灯させなければならず、遊技ホールの店員が空の遊技媒体収納箱（１）を取り扱う場合であればともかく、遊技者各自が獲得メダルやパチンコ玉の多量に移し入れられた収納箱（１）の脚部（１５）を、上記天板（６）の溝（６１）へすばやく正確に嵌入させることは、甚だ煩らわしい作業となり、その収納箱（１）の転倒事故と延いては遊技媒体の落下事故などを招来するおそれもある。
【課題を解決するための手段】
【０００６】
本考案はこのような課題の改良を目的としており、その目的を達成するために、請求項１では並列状態にあるスロットマシンの上段位置がメダル収容トレーを載置できる棚空間として、各々開口形成されたスロットマシン設置島において、
【０００７】
上記メダル収容トレーを蛍光顔料などの蛍光体が含有された透明又は半透明の熱可塑性樹脂から成形すると共に、
【０００８】
そのメダル収容トレーに向かって紫外線を照射する励起光源を、上記棚空間の開口縁部又は内部に設置して、上記メダル収容トレーを発光させるように定めたことを特徴とする。
【０００９】
又、請求項２では励起光源を紫外線発光ダイオードとして、その１個又は複数個が予じめ植え付けられたＬＥＤ配線基板を、一定長さの支持フレームに取り付けた上、
【００１０】
上記支持フレームを棚空間の開口上縁部に沿って、その発光ダイオードが斜め内向く状態に取り付け固定したことを特徴とする。
【００１１】
請求項３では支持フレームをアルミ押出材として、その一定長さだけ列設したＬＥＤ配線基板受け入れ用溝レールの内部へ、紫外線発光ダイオードが予じめ植え付けられたＬＥＤ配線基板を、その切り離し一端部からの抜き差し自在に差し込むと共に、
【００１２】
上記支持フレームの溝レールから背後方向へ連続一体に張り出す取付ステーの中途部を、約４５度の一定角度だけ折り曲げて、その取付ステーの折り曲げ先端部を棚空間の開口上縁部に沿って取り付け固定することにより、
【００１３】
上記紫外線発光ダイオードが棚空間への上記一定角度だけ斜め内向く状態となるように設定したことを特徴とする。
【００１４】
請求項４ではＬＥＤ配線基板上の紫外線発光ダイオードと対応位置する光透過孔が開口形成された一定長さの遮光カバーを、支持フレームへ前方からの被覆状態に取り付け一体化したことを特徴とする。
【００１５】
更に、請求項５では支持フレームをアルミ押出材として、その一定長さだけ列設したＬＥＤ配線基板受け入れ用溝レールの内部へ、紫外線発光ダイオードが予じめ植え付けられたＬＥＤ配線基板を、その切り離し一端部からの抜き差し自在に差し込む一方、
【００１６】
棚空間の開口上縁部に対する支持フレームの取付ステーを、その支持フレームの上記ＬＥＤ配線基板受け入れ用溝レールから背後方向へ連続一体に張り出すと共に、
【００１７】
一定長さの合成樹脂製遮光カバーを上記支持フレームの切り離し一端部から、そのＬＥＤ配線基板受け入れ用溝レールと取付ステーを包囲する状態に差し込み套嵌したことを特徴とする。
【考案の効果】
【００１８】
請求項１の上記構成によれば、そのスロットマシンの遊技媒体であるメダルの収容トレーに、冒頭の公知発明に見られるようなＬＥＤや照明用光ファイバーを設ける必要がなく、メダル収容トレーに励起光源から紫外線（紫外光）を照射すれば、そのトレー自身から蛍光を発することになるため、しかもこれらのメダル収容トレーが載置される棚空間は、遊技ホールのスロットマシン設置島に並ぶ各スロットマシンの上段位置に開口形成されているため、そのメダル収容トレーの発光（ライトアップ）による演出効果を、スロットマシンの遊技者各自だけにとどまらず、スロットマシン設置島の全体に広く波及させることができ、遊技ホールにおける来客上の訴求効果も得られる利点がある。
【００１９】
その場合、請求項２の構成を採用するならば、励起光源となる１個又は複数個の紫外線発光ダイオード（ＬＥＤ）を、その共通する一定長さの支持フレームへ合理的に取り付け使用することができる。
【００２０】
しかも、一定長さの支持フレームを棚空間の開口上縁部に沿って、その発光ダイオード（ＬＥＤ）が棚空間への斜め内向く状態に取り付け固定しているため、その棚空間の内部に載置されているメダル収容トレーを、効率良く発光させることができ、棚空間の外部へ紫外線がいたずらに洩れる如く照射されて、遊技者各自の人体に悪影響を与えるおそれも極力に予防し得る効果がある。
【００２１】
特に、請求項３の構成を採用するならば、上記発光ダイオード（ＬＥＤ）が植え付けられたＬＥＤ配線基板の保守・点検や交換などを便利良く行うことができるほか、棚空間に対する支持フレームの取付ステーが中途部から約４５度の一定角度だけ折り曲げられているため、その取付ステーの折り曲げ先端部を棚空間の開口上縁部へ、前方（正面）から水平の皿ビスによって取り付け固定しても、又下方（底部）から垂直の皿ビスによって取り付け固定しても、その支持フレームに支持されている上記発光ダイオード（ＬＥＤ）を、棚空間へ等しい約４５度だけ斜め内向く状態に設置することができることとなり、その棚空間内のメダル収容トレーを極めて効率良く発光させ得る効果もある。
【００２２】
請求項４の構成を採用するならば、紫外線発光ダイオード（ＬＥＤ）を支持している一定長さの支持フレームに、その前方（正面）から一定長さの遮光カバーがかぶせ付けられているため、紫外線はその遮光カバーの光透過孔を通じて、メダル収容トレーに照射されることとなり、その紫外線が棚空間の外部へ洩れ出て、遊技者各自の人体に悪影響を及ぼすおそれも予防できる効果がある。
【００２３】
殊更、請求項５の構成を採用するならば、その遮光カバーが支持フレームのＬＥＤ配線基板受け入れ用溝レールを被覆する部分によって、上記紫外線が人体に与える悪影響を予防できるほか、同じく遮光カバーが支持フレームの取付ステーを被覆する部分によって、棚空間の開口周辺部や延いてはスロットマシン設置島の外観化粧が低下することを予防し得る効果もある。
【図面の簡単な説明】
【００２４】
【図１】本考案を適用したスロットマシン設置島の概略正面図である。
【図２】図１の２−２線断面図である。
【図３】メダル収容トレーを抽出して示す斜面図である。
【図４】ＬＥＤ配線基板を取り付けた支持フレームの斜面図である。
【図５】図４の正面図である。
【図６】図５の６−６線拡大断面図である。
【図７】図２の拡大図であって、棚空間への取付状態を示している。
【図８】支持フレームへ遮光カバーをかぶせ付けた状態の斜面図である。
【図９】図７に対応する別な取付状態を示す側断面図である。
【考案を実施するための形態】
【００２５】
以下、図面に基いて、本考案の実施形態を詳述すると、図１、２は遊技ホール内のスロットマシン設置島（Ｍ）を示しており、その設置島（Ｍ）には複数のスロットマシン（１０）が並列設置されている。その各スロットマシン（１０）の上段位置は複数（図例では合計３個）のメダル収容トレー（１１）を載置できる大きさの棚空間（Ｓ）として、正面（前面）だけの四角形な開口状態に区成されている。（１２）（１３）はその各棚空間（Ｓ）の天井面と床面（棚板）、（１４）（１５）は同じく背面と左右両側面である。
【００２６】
上記メダル収容トレー（１１）は本考案の場合、後述の励起光源から紫外線（紫外光）の照射を受けることによって、蛍光を発する物質（蛍光体）を含有した透明又は半透明の熱可塑性樹脂から、図３のような全体形状に射出成形されたものであり、その空の状態や遊技者が獲得したメダルを収容した状態において、上記棚空間（Ｓ）の内部に載置されることとなる。
【００２７】
上記熱可塑性樹脂としてはポリカーボネートやポリプロピレン、アクリル樹脂、エポキシ樹脂、その他の硬化後に透明度の高いものを採用することが好ましい。紫外線（紫外光）並びにこれの照射による発光が、その樹脂を十分に透過して、メダル収容トレー（１１）の全体を美しく鮮やかに発光させることができるからである。
【００２８】
但し、遊技ホールにおける就中スロットマシン（１０）の遊技空間はパチンコ機のそれに比して、照度が低く抑制されており、全体的に暗い通例である関係上、メダル収容トレー（１１）の発光は浮き彫り状態に目立ちやすいため、半透明（乳白色や着色半透明）の樹脂であっても、その発光を視認することができ、採用に値いする。
【００２９】
又、上記蛍光体としては紫外線（紫外光）を吸収し、これにより励起された状態から元の状態に戻る際、光（蛍光）としてエネルギーを放出する特性がある物質を言い、例えば蛍光顔料（蛍光増白剤）を採用することができる。
【００３０】
尚、蛍光とは励起後に約１０〜８秒以下で持続する発光を言い、紫外線（紫外光）とは可視光線である紫色の光よりも波長の短いものであり、通常１０〜３８０nm又は１０〜４００nmの領域内にある波長の光をいう。
【００３１】
上記メダル収容トレー（１１）を発光させる励起光源（１６）としては、紫外線（紫外光）を照射するブラックライトや発光ダイオード（ＬＥＤ）、レーザーなどを採用することができるが、図示の実施形態では紫外線発光ダイオード（ＬＥＤ）を励起光源（１６）として、その１個又は点在分布する複数個が予じめ植え付けられた帯状のＬＥＤ配線基板（１７）を図４〜６のように、アルミ押出材から成る一定長さ（Ｌ１）の支持フレーム（Ｆ）へ取り付け固定している。
【００３２】
つまり、アルミ材から押出成形された支持フレーム（Ｆ）は、ＬＥＤ配線基板用受け入れ溝レール（１８）を有しており、その正面（前方）から内部へＬＥＤ配線基板（１７）が、図外の接着剤や両面接着テープなどの固定手段を介して嵌め込み状態に取り付けられているのである。その支持フレーム（Ｆ）の一定長さ（Ｌ１）は上記した各棚空間（Ｓ）の開口幅と同じか、又はこれよりも小さい寸法に設定されており、その棚空間（Ｓ）の内部へ水平に横架することができるようになっている。
【００３３】
（１９）はそのＬＥＤ配線基板（１７）から導出された電気配線であり、図外の交流電源へ直接に又はＬＥＤ照明器具用コンバーターを介して接続使用されることになる。そのため、遊技ホールの店員が図外の電源スイッチをオン・オフ操作して、上記励起光源（紫外線発光ダイオード）（１６）を発光させれば良い。（２０）は上記支持フレーム（Ｆ）におけるＬＥＤ配線基板用受け入れ溝レール（１８）から背後方向へ連続一体に張り出す複数条の放熱フィンであって、その支持フレーム（Ｆ）の長手方向（水平方向）に沿って平行に延在し、ＬＥＤ配線基板（１７）の発熱を防止する。
【００３４】
（２１）は同じくＬＥＤ配線基板用受け入れ溝レール（１８）の水平な二等分線上から背後方向へ連続一体に大きく張り出す取付ステーであり、その中途部から一定角度（θ）（例えば約３０度や約６０度、好ましくは図示のような約４５度）だけ折り曲げられた先端部（２１ａ）が、複数の皿ビス（２２）や接着剤などの固定手段によって、上記スロットマシン設置島（Ｍ）における各棚空間（Ｓ）の開口上縁部に沿って取り付け固定されるようになっている。（２３）はその取付ステー（２１）の折り曲げ先端部（２１ａ）に開口分布するビス受け入れ孔である。
【００３５】
その場合、図７では上記取付ステー（２１）の折り曲げ先端部（２１ａ）を各棚空間（Ｓ）の開口上縁部へ、正面（前方）から水平の皿ビス（２２）により取り付け固定しているが、その折り曲げ先端部（２１ａ）を別な図９に示す如く、各棚空間（Ｓ）の天井面（１２）へ下方（内部）から垂直の皿ビス（２２）によって取り付け固定しても良い。
【００３６】
そうすれば、図７、９に示す何れの取付状態でも、上記支持フレーム（Ｆ）は各棚空間（Ｓ）の開口上端部に沿って延在し、その励起光源（１６）が各棚空間（Ｓ）への一定角度（θ）（約４５度）だけ斜めに内向く状態として、その内部の床面（棚板）（１３）上に載置されたメダル収容トレー（１１）を目指して、そのトレー（１１）の複数に紫外線（紫外光）を効率良く照射させることができ、そのトレー全体の青白い鮮明な発光状態を得られる。
【００３７】
更に、（Ｃ）は熱可塑性樹脂から好ましくは押出成形された遮光カバーであって、上記ＬＥＤ配線基板（１７）の支持フレーム（Ｆ）と同じか、又はこれよりも長い一定長さ（Ｌ２）と、そのＬＥＤ配線基板（１７）上の紫外線発光ダイオード（励起光源）（１６）と対応位置する１個又は複数個の円形な光透過孔（２４）を備えている。
【００３８】
そして、その遮光カバー（Ｃ）を図８のように上記支持フレーム（Ｆ）へ、前方（正面）からの被覆状態に取り付け一体化することにより、その励起光源（紫外線発光ダイオード）（１６）から上記メダル収容トレー（１１）に向かって照射される紫外線（紫外光）が、遊技ホールの店員や特に遊技者各自の皮膚や眼などに直接浴びせられて、その人体に悪影響を与えることを防止するようになっている。
【００３９】
特に、図示実施形態の遮光カバー（Ｃ）は上記支持フレーム（Ｆ）のＬＥＤ配線基板受け入れ用溝レール（１８）に覆いかぶさるほぼＵ字形のカバー板片（２５ａ）と、そのカバー板片（２５ａ）の前端部から支持フレーム（Ｆ）の取付ステー（２１）に向かって連続一体に延長する化粧板片（２５ｂ）とを備えた押出断面形状であり、上記スロットマシン設置島（Ｍ）における各棚空間（Ｓ）の開口上縁部に沿って、図７のように取り付け固定された励起光源（紫外線発光ダイオード）（１６）の支持フレーム（Ｆ）に対し、その遮光カバー（Ｃ）自身の弾力性を利用して、言わば前斜め下方からの係脱自在にかぶせ付け係止されている。
【００４０】
その支持フレーム（Ｆ）へのかぶせ付け使用状態では、励起光源（紫外線発光ダイオード）（１６）から照射される紫外線（紫外光）が図７の矢印で示す如く、遮光カバー（Ｃ）のカバー板片（２５ａ）に開口する光透過孔（２４）を通じてメダル収容トレー（１１）に向かい、スロットマシン（１０）の遊技者各自に直接浴びせられることはなく、その人体の安全が確保される。
【００４１】
尚、遮光カバー（Ｃ）の切り離し両端部は上記棚空間（Ｓ）の左右両側面（１５）によって施蓋される結果になるため、その両端部を図外の別個なエンドキャップによって施蓋する必要はないが、そのエンドキャップを取り付けてもさしつかえない。
【００４２】
又、上記支持フレーム（Ｆ）の取付ステー（２１）を各棚空間（Ｓ）の開口上縁部へ、前方（正面）から取り付け固定している複数の皿ビス（２２）は、その遮光カバー（Ｃ）の化粧板片（２５ｂ）によって被覆されることとなり、スロットマシン設置島（Ｍ）の外観化粧を阻害するおそれもない。
【００４３】
その場合、図７と対応する図９の別な実施形態に併せて示す如く、上記支持フレーム（Ｆ）のＬＥＤ配線基板受け入れ用溝レール（１８）をリップ（１８ａ）付きの断面チャンネル溝形として、その一定長さ（Ｌ１）の切り離し一端部（左右何れか一端部）から内部へ、上記ＬＥＤ配線基板（１７）を抜き差し自在に差し込み敷設すると共に、上記遮光カバー（Ｃ）も同じく切り離し一端部（左右何れか一端部）から、支持フレーム（Ｆ）のＬＥＤ配線基板受け入れ用溝レール（１８）と取付ステー（２１）を包囲する状態として、抜き差し自在に差し込み套嵌しても良い。そうすれば、上記ＬＥＤ配線基板（１７）の交換や遮光カバー（Ｃ）の交換を行え、便利である。
【００４４】
尚、図７と図９との何れにあっても、メダル収容トレー（１１）を発光させる励起光源（紫外線発光ダイオード）（１６）の支持フレーム（Ｆ）を、各棚空間（Ｓ）の開口上縁部に沿って取り付けているが、その内部に載置されるメダル収容トレー（１１）を発光させ得る限り、上記励起光源（１６）やその支持フレーム（Ｆ）を各棚空間（Ｓ）の天井面（１２）や床面（１３）、その他の内部に取り付けても良い。
【００４５】
又、上記支持フレーム（Ｆ）はアルミ材に代る耐熱性の合成樹脂材から押出成形しても良く、他方遮光カバー（Ｃ）は合成樹脂に代る軽金属から押出成形しても良い。殊更、支持フレーム（Ｆ）を被覆する遮光カバー（Ｃ）には、スロットマシン設置島（Ｍ）やその遊技空間の雰囲気に調和する黒色などの着色カラーを初め、木目調などの化粧模様を施すことも可能である。
【符号の説明】
【００４６】
（１０）・スロットマシン
（１１）・メダル収容トレー
（１２）・天井面
（１３）・床面
（１４）・背面
（１５）・左右両側面
（１６）・励起光源
（１７）・ＬＥＤ配線基板
（１８）・ＬＥＤ配線基板用受け入れ溝レール
（１８ａ）・リップ
（１９）・電気配線
（２０）・放熱フィン
（２１）・取付ステー
（２１ａ）・折り曲げ先端部
（２２）・皿ビス
（２３）・ビス受け入れ孔
（２４）・光透過孔
（２５ａ）・カバー板片
（２５ｂ）・化粧板片
（Ｃ）・遮光カバー
（Ｆ）・支持フレーム
（Ｍ）・スロットマシン設置島
（Ｓ）・棚空間
【図１】
0003180200.tif 000003
【図２】
0003180200.tif 000004
【図３】
0003180200.tif 000005
【図４】
0003180200.tif 000006
【図５】
0003180200.tif 000007
【図６】
0003180200.tif 000008
【図７】
0003180200.tif 000009
【図８】
0003180200.tif 000010
【図９】
0003180200.tif 000011